(57)【特許請求の範囲】
【請求項１】
システムの管理を行う本部担当者が操作する本部端末と、各企業サイネージの管理を行う各企業担当者が操作する企業端末と、各店舗サイネージの管理を行う各店舗オーナーが操作する店舗端末と、各一般ユーザーが操作する一般ユーザー端末と、電気通信回線を介して、前記本部端末、前記企業端末、前記店舗端末、前記一般ユーザー端末とのそれぞれの間を仲介する管理装置とを備えるサイネージシステムであって、前記店舗端末は、該店舗端末にて管理を行う店舗サイネージと通信可能なアプリケーションを備え、前記一般ユーザー端末は、各店舗サイネージに表示されるコンテンツの閲覧、検索が可能なアプリケーションを備え、前記管理装置は、店舗端末が備える前記アプリケーションを介して前記店舗サイネージに表示するコンテンツの更新を可能とする手段と、各店舗オーナーが操作する店舗端末を介して各店舗サイネージに表示されるコンテンツのうち、一般ユーザーが一般ユーザー端末に備える前記アプリケーションを介して選択した店舗サイネージに表示されるコンテンツを前記一般ユーザー端末に送信して一般ユーザー端末に備える前記アプリケーションを介して表示させる手段と、を備えると共に、一般ユーザーが、一般ユーザー端末に備える前記アプリケーションを介してコンテンツの検索を行わない場合には、一般ユーザーが一般ユーザー端末に備える前記アプリケーションを起動させた際に、一般ユーザー端末から所定範囲内の距離にある一乃至複数の店舗サイネージに表示されるコンテンツを抽出すると共に、一般ユーザー端末からの距離が近い店舗サイネージに表示されるコンテンツを優先して一般ユーザー端末に送信して一般ユーザー端末に備える前記アプリケーションを介して表示させる処理を行うことを特徴とするサイネージシステム。
【請求項２】
管理装置は、店舗端末から企業端末に対して、店舗端末に保存するコンテンツの企業サイネージへの掲載申込みを受け付ける手段を備えると共に、企業端末が前記申込みを許可する場合においては、店舗端末に保存するコンテンツのうち、前記店舗端末の操作を行う店舗オーナーがアプリケーションを介して選択したコンテンツを企業サイネージに送信して表示させる処理を行うことを特徴とする請求項１に記載のサイネージシステム。
【請求項３】
管理装置は、店舗端末からのコンテンツの掲載申込みを募集している企業サイネージに関する情報を各店舗オーナーが操作する店舗端末に送信してアプリケーションを介して表示させる手段を備え、前記企業サイネージに関する情報を前記店舗端末に送信する際には、各店舗オーナーが操作する店舗端末のうち、前記企業サイネージの管理を行う企業担当者が操作する企業端末にて予め設定した選択基準に合致する店舗端末を抽出して企業サイネージに関する情報を送信する処理を行うと共に、前記選択基準が、企業から店舗までの距離と、店舗の業種との少なくとも何れか一つであることを特徴とする請求項２に記載のサイネージシステム。
【請求項４】
店舗サイネージに表示されるコンテンツの制作を行う各クリエイターが操作するクリエイター端末を更に備えると共に、管理装置は、店舗端末から前記クリエイター端末へのコンテンツの制作の依頼を仲介する手段を備えることを特徴とする請求項１〜３の何れか１項に記載のサイネージシステム。
【発明の詳細な説明】
【技術分野】
【０００１】
本発明は、更新作業を容易且つ迅速に行うことが可能であると共に、効率的に広告宣伝を行うことが可能なサイネージシステムに関する。
【背景技術】
【０００２】
近年、デジタルサイネージ（以下、サイネージとする。）が広く普及している。このサイネージは、駅やビル、街中など、人が行き交う場所に設置したディスプレイに、映像や音楽などの各種コンテンツを配信する電子看板システムである。また、広告コンテンツを配信する広告媒体としても利用されている。
このような従来のサイネージの制御を行うサイネージシステムとして、例えば、下記特許文献１がある。
【先行技術文献】
【特許文献】
【０００３】
【特許文献１】特開２０１８−８８１２０号公報
【発明の概要】
【発明が解決しようとする課題】
【０００４】
上記特許文献１は、サイネージシステム、デジタルサイネージ端末、サーバ、制御方法、及び、表示方法に関する発明で、スマートデバイスなどの携帯端末と連携して、ユーザーを適切に目的地まで導くことができるメリットがある。
しかしながら、上記特許文献１に示すような従来のサイネージシステムにおいては、サイネージに表示させる各種コンテンツの更新などの管理を行うには、パーソナルコンピュータで管理を行う必要があるものが一般的であった。よって、更新作業が煩雑となるばかりでなく、更新作業を行う場所や時間がある程度制約され、また、コンテンツ内容がデザイン性、自由度に欠けるという問題があった。また、あくまで、コンテンツを視聴可能な場所はサイネージの前に限られ、コンテンツ情報を視聴可能な人数が限定的となり、効果的に広告宣伝を行うことができないという問題があった。
【０００５】
そこで、本発明は上記従来における問題点を解決し、更新作業を容易且つ迅速に行うことが可能であると共に、効率的に広告宣伝を行うことが可能なサイネージシステムの提供を課題とする。
【課題を解決するための手段】
【０００６】
上記課題を達成するため、本発明のサイネージシステムは、システムの管理を行う本部担当者が操作する本部端末と、各企業サイネージの管理を行う各企業担当者が操作する企業端末と、各店舗サイネージの管理を行う各店舗オーナーが操作する店舗端末と、各一般ユーザーが操作する一般ユーザー端末と、電気通信回線を介して、前記本部端末、前記企業端末、前記店舗端末、前記一般ユーザー端末とのそれぞれの間を仲介する管理装置とを備えるサイネージシステムであって、前記店舗端末は、該店舗端末にて管理を行う店舗サイネージと通信可能なアプリケーションを備え、前記一般ユーザー端末は、各店舗サイネージに表示されるコンテンツの閲覧、検索が可能なアプリケーションを備え、前記管理装置は、店舗端末が備える前記アプリケーションを介して前記店舗サイネージに表示するコンテンツの更新を可能とする手段と、各店舗オーナーが操作する店舗端末を介して各店舗サイネージに表示されるコンテンツのうち、一般ユーザーが一般ユーザー端末に備える前記アプリケーションを介して選択した店舗サイネージに表示されるコンテンツを前記一般ユーザー端末に送信して一般ユーザー端末に備える前記アプリケーションを介して表示させる手段と、を備えると共に、一般ユーザーが、一般ユーザー端末に備える前記アプリケーションを介してコンテンツの検索を行わない場合には、一般ユーザーが一般ユーザー端末に備える前記アプリケーションを起動させた際に、一般ユーザー端末から所定範囲内の距離にある一乃至複数の店舗サイネージに表示されるコンテンツを抽出すると共に、一般ユーザー端末からの距離が近い店舗サイネージに表示されるコンテンツを優先して一般ユーザー端末に送信して一般ユーザー端末に備える前記アプリケーションを介して表示させる処理を行うことを第１の特徴としている。
また、本発明のサイネージシステムは、上記第１の特徴に加えて、管理装置は、店舗端末から企業端末に対して、店舗端末に保存するコンテンツの企業サイネージへの掲載申込みを受け付ける手段を備えると共に、企業端末が前記申込みを許可する場合においては、店舗端末に保存するコンテンツのうち、前記店舗端末の操作を行う店舗オーナーがアプリケーションを介して選択したコンテンツを企業サイネージに送信して表示させる処理を行うことを第２の特徴としている。
また、本発明のサイネージシステムは、上記第２の特徴に加えて、管理装置は、店舗端末からのコンテンツの掲載申込みを募集している企業サイネージに関する情報を各店舗オーナーが操作する店舗端末に送信してアプリケーションを介して表示させる手段を備え、前記企業サイネージに関する情報を前記店舗端末に送信する際には、各店舗オーナーが操作する店舗端末のうち、前記企業サイネージの管理を行う企業担当者が操作する企業端末にて予め設定した選択基準に合致する店舗端末を抽出して企業サイネージに関する情報を送信する処理を行うと共に、前記選択基準が、企業から店舗までの距離と、店舗の業種との少なくとも何れか一つであることを第３の特徴としている。
また、本発明のサイネージシステムは、上記第１〜第３の何れか１項の特徴に加えて、店舗サイネージに表示されるコンテンツの制作を行う各クリエイターが操作するクリエイター端末を更に備えると共に、管理装置は、店舗端末から前記クリエイター端末へのコンテンツの制作の依頼を仲介する手段を備えることを第４の特徴としている。
【発明の効果】
【０００７】
上記第１の特徴によるサイネージシステムによれば、店舗端末に備えるアプリケーションを介して店舗サイネージに表示するコンテンツの更新が可能となることで、店舗オーナーがいつでも好きな時間、好きな場所で店舗サイネージに表示させるコンテンツを更新できる。よって、店舗サイネージに表示させるコンテンツの投稿作業を一段と簡素化でき、店舗サイネージにコンテンツを表示させるまでの時間を大幅に短縮することができる。よって、更新作業を容易且つ迅速に行うことが可能なシステムとすることができる。更に、よりタイムリーなコンテンツを店舗サイネージに表示させることができ、訴求効果の高い広告宣伝ツールとして店舗サイネージを利用でき、店舗の売り上げを効果的に増加させることができる。
また、表示させるコンテンツの多様化を図ることが可能となり、一段と有用な情報発信ツールとして店舗サイネージを利用することができる。
【０００８】
また、一般ユーザー端末にて店舗サイネージに表示されるコンテンツの閲覧が可能となることで、サイネージの前を通る以外には、サイネージに表示されるコンテンツに接する機会がなかった一般ユーザーに対して、コンテンツの閲覧機会を飛躍的に増加させることができる。よって、従来は気付かなかった店舗の発見につなげることが可能となり、店舗にとっては新たな顧客を効率的に開拓可能なシステムとすることができる。
【０００９】
また、一般ユーザーが自分の近くにある店舗サイネージに表示されるコンテンツを、アプリケーションを起動させるだけで即座に閲覧することができ、店舗オーナーにとっては、より効果的に集客が可能であると共に、一般ユーザーにとっては、今まで知らなかった店舗を発掘できる機会を得ることができ、店舗オーナー及び一般ユーザーにとって一段と利便性の高いシステムとすることができる。
【００１０】
また、上記第２の特徴によるサイネージシステムによれば、上記第１の特徴による作用効果に加えて、店舗端末に保存するコンテンツを企業サイネージに表示させることができることで、企業サイネージを有する企業の従業員にピンポイントで店舗の広告を発信可能なシステムとすることができる。また、広告代理店を介することなくコンテンツ掲載の申請、コンテンツの掲載を進めることができることで、広告宣伝にかかる経費を効果的に抑えることが可能となり、費用対効果の高い広告システムとすることができる。
【００１１】
また、上記第３の特徴によるサイネージシステムによれば、上記第２の特徴による作用効果に加えて、コンテンツの掲載申込みを募集している企業サイネージに関する情報を店舗オーナーが閲覧できると共に、予め企業端末で設定した選択基準に合致する店舗端末に限って掲載申込みの募集を知ることができる構成とすることで、企業側が募集対象としたい店舗に絞ってコンテンツの掲載申込みの募集案内を告知することができ、企業と店舗オーナーとのマッチングを一段と効率的に行うことが可能なシステムとすることができる。
【００１２】
また、上記第４の特徴によるサイネージシステムによれば、上記第１〜第３の何れか１つの特徴による作用効果に加えて、店舗端末からクリエイター端末に店舗サイネージに表示させるコンテンツの制作依頼を行うことが可能な構成とすることで、店舗オーナーにとっては、一段と品質が良く、訴求効果の高いコンテンツを店舗サイネージに表示させることができ、顧客数及び売上の増加につなげることが可能なシステムとすることができる。
【図面の簡単な説明】
【００１３】
【図１】本発明の実施形態に係るサイネージシステムのシステム構成を示す図である。
【図２】本発明の実施形態に係るサイネージシステムの機能ブロック図である。
【図３】本発明の実施形態に係るサイネージシステムの機能ブロック図である。
【図４】本発明の実施形態に係るサイネージシステムの機能ブロック図である。
【図５】本発明の実施形態に係るサイネージシステムにおける新規企業登録処理の流れを示す図である。
【図６】本発明の実施形態に係るサイネージシステムにおける企業の独自コンテンツ投稿処理の流れを示す図である。
【図７】本発明の実施形態に係るサイネージシステムにおける企業端末の操作画面を示す図で、（ａ）は企業アプリトップ画面を示す図、（ｂ）は広告掲載審議画面を示す図である。
【図８】本発明の実施形態に係るサイネージシステムにおける店舗の独自コンテンツ投稿処理の流れを示す図である。
【図９】本発明の実施形態に係るサイネージシステムにおける店舗端末の操作画面を示す図で、（ａ）は店舗アプリトップ画面を示す図、（ｂ）はマイページ画面を示す図である。
【図１０】本発明の実施形態に係るサイネージシステムにおける店舗の広告掲載申請処理の流れを示す図である。
【図１１】本発明の実施形態に係るサイネージシステムにおける店舗端末の操作画面を示す図で、広告掲載可能サイネージ情報表示画面を示す図である。
【図１２】本発明の実施形態に係るサイネージシステムにおける店舗からクリエイターへのコンテンツ制作依頼処理の流れを示す図である。
【図１３】本発明の実施形態に係るサイネージシステムにおける店舗からクリエイターへのコンテンツ制作依頼処理の流れを示す図である。
【図１４】本発明の実施形態に係るサイネージシステムにおける店舗端末及びクリエイター端末の操作画面を示す図で、（ａ）は店舗端末におけるクリエイターへの依頼画面を示す図、（ｂ）はクリエイター端末におけるホーム画面を示す図、（ｃ）はクリエイター端末における依頼内容表示画面を示す図、（ｄ）はクリエイター端末におけるチャット表示画面を示す図である。
【図１５】本発明の実施形態に係るサイネージシステムにおける一般ユーザーの店舗サイネージ検索処理の流れを示す図である。
【図１６】本発明の実施形態に係るサイネージシステムにおける一般ユーザー端末の操作画面を示す図で、（ａ）は一般ユーザーアプリトップ画面を示す図、（ｂ）は店舗検索画面を示す図である。
【図１７】本発明の実施形態に係るサイネージシステムにおける一般ユーザー端末の操作画面を示す図で、（ａ）は検索店舗表示画面を示す図、（ｂ）はマイページ画面を示す図である。
【発明を実施するための形態】
【００１４】
以下、各図面を参照して、本発明の実施形態に係るサイネージシステムを説明し、本発明の理解に供する。しかし、以下の説明は特許請求の範囲に記載の本発明を限定するものではない。
【００１５】
本発明の実施形態に係るサイネージシステム１は、図１に示すように、主として電気通信回線１０を介して、企業サイネージ３６や店舗サイネージ４６に文字、画像、動画で構成される各種コンテンツを表示させると共に、その制御が可能なシステムである。
【００１６】
このサイネージシステム１は、図１に示すように、電気通信回線１０と、本部端末２０と、企業サイネージ３６の管理を行う企業端末３０と、店舗サイネージ４６の管理を行う店舗端末４０と、一般ユーザー端末５０と、クリエイター端末６０と、サーバ７０とで構成される。
なお、実際のサイネージシステム１においては、企業担当者３、企業端末３０、企業サイネージ３６、店舗オーナー４、店舗端末４０、店舗サイネージ４６、一般ユーザー５、一般ユーザー端末５０、クリエイター６、クリエイター端末６０は、それぞれ複数存在するものであるが、図１においては説明の便宜上、それぞれを代表する１人及び１台のみを図示するものとする。
【００１７】
前記電気通信回線１０は、いわゆるインターネット接続網であり、本部端末２０と、企業端末３０と、店舗端末４０と、一般ユーザー端末５０と、クリエイター端末６０との間で各種情報のやり取りを可能とするための回線である。
【００１８】
前記本部端末２０は、本システムの運営、管理を行う会社の本部担当者２が操作する端末で、ＷＥＢアプリケーションを介して、本システム上の各種操作を行う。具体的には、主として、ＷＥＢアプリケーションを介して、企業サイネージ３６との間で企業サイネージ３６に表示するコンテンツに関するデータを送受信する。つまり、本実施形態においては、企業サイネージ３６に表示させるコンテンツとして、企業が自社で作成したものだけでなく、本部にて作成したコンテンツを企業サイネージ３６に表示可能な構成としてある。このような構成とすることで、企業側の負担を軽減できると共に、コンテンツの多様化を図ることができる。
また、企業端末３０と店舗端末４０との間、店舗端末４０とクリエイター端末６０との間で発生する金銭に関する情報の管理などを行うためのものである。
また、本実施形態においては、本部端末２０として、パーソナルコンピュータを用いる構成としてある。勿論、このような構成に限るものではなく、移動体通信端末（例えば、携帯電話）等、電気通信回線１０と接続可能な各種端末を用いることができる。
【００１９】
この本部端末２０は図２（ａ）に示すように、制御部２１と、記憶部２２と、通信部２３と、表示部２４と、操作部２５とで構成される。
【００２０】
前記制御部２１は、ＣＰＵ（Ｃｅｎｔｒａｌ  Ｐｒｏｃｅｓｓｉｎｇ  Ｕｎｉｔ）からなり、記憶部２２に格納されているＯＳ（Ｏｐｅｒａｔｉｎｇ  Ｓｙｓｔｅｍ）や各種プログラムに基づき、本システムの制御や各種処理の指示を行うためのものである。
【００２１】
前記記憶部２２は、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）を含み、制御部２１が各部を制御するための制御プログラムや各種データ等を記録するためのものである。
【００２２】
前記通信部２３は、電気通信回線１０を介してサーバ７０との間で各種データの送受信や各種処理コマンドの送信を行う機能やセキュリティ機能を本部端末２０に付与するためのものである。
【００２３】
前記表示部２４は、主として、本部端末２０で入出力を行う各種データや、サーバ７０との間で送受信する各種データを表示するためのもので、ＬＣＤ（Ｌｉｑｕｉｄ  Ｃｒｙｓｔａｌ  Ｄｉｓｐｌａｙ）等からなるディスプレイと、これを駆動するためのディスプレイ駆動回路を備える。このディスプレイ駆動回路は、本部端末２０が受信した信号データに基づいてディスプレイを駆動する。これによってディスプレイに画像データや文字データ等の各種情報が表示される。なお、表示されるデータは、画像データ、文字データ、音声データ、動画データ等、如何なる形式のデータであってもよい。
【００２４】
前記操作部２５は、本部端末２０の各種操作や各種指示を行うためのもので、例えばキーボードやタッチパネル、操作ボタン等で形成される。
【００２５】
前記企業端末３０は、企業サイネージ３６を有する企業の企業担当者３が操作する端末で、ＷＥＢアプリケーションを介して、本システム上の各種操作を行う。具体的には、主として、ＷＥＢアプリケーションを介して、サーバ７０との間で企業に関する企業情報データや、その他各種データを送受信する。
なお、ここで「企業情報データ」とは、企業端末３０を所有する企業名、所在地、従業員数、業種など、企業自身に関連する情報や、企業サイネージ３６の設置場所、店舗端末４０に保存するコンテンツの企業サイネージ３６への掲載申込みの受付可否の設定情報や、掲載申込みを受け付ける場合においては、申込み募集に関する情報を送信する店舗端末の選択基準情報など、企業自身以外の各種情報の両方を含む概念である。また、サーバ７０によって企業に個別に割り当てられるＩＤやログインパスワードなども含む概念である。また、そのデータ形式は、静止画像、動画、音声、音楽等、電子データとして送受信可能なデータ全てを含む概念である。
また、本実施形態においては、企業端末３０として、パーソナルコンピュータを用いる構成としてある。勿論、このような構成に限るものではなく、移動体通信端末（例えば、携帯電話）等、電気通信回線１０と接続可能な各種端末を用いることができる。
【００２６】
この企業端末３０は図２（ｂ）に示すように、制御部３１と、記憶部３２と、通信部３３と、表示部３４と、操作部３５とで構成される。
【００２７】
前記制御部３１と、記憶部３２と、通信部３３と、表示部３４と、操作部３５の主たる機能や構成は、既述した本部端末２０の制御部２１と、記憶部２２と、通信部２３と、表示部２４と、操作部２５と同一のものであることから、詳細な説明は省略するものとする。
また、企業サイネージ３６としては、電気通信回線１０を介して各種コンテンツを表示可能な機能を備えた汎用されている各種サイネージを用いることができる。
【００２８】
企業が提供する各種情報データは、この企業端末３０を用いて電気通信回線１０を介してサーバ７０に送信されて記録される。
また、サーバ７０に送信された企業情報データのうち、一部の情報については、店舗オーナー４、一般ユーザー５、クリエイター６が閲覧可能となる。
【００２９】
前記店舗端末４０は、店舗サイネージ４６を有する店舗オーナー４が操作する端末で、
ダウンロードして利用するアプリケーションを介して、本システム上の各種操作を行う。
具体的には、主として、アプリケーションを介して、サーバ７０との間で店舗に関する店舗情報データや、その他各種データを送受信する。
なお、ここで「店舗情報データ」とは、店舗端末４０を所有する店舗名、業種、所在地、従業員数など、店舗自身に関連する情報や、店舗サイネージ４６の設置場所、クリエイター６へのコンテンツ制作依頼内容など、店舗自身以外に関連する各種情報の両方を含む概念である。また、サーバ７０によって店舗に個別に割り当てられるＩＤやログインパスワードなども含む概念である。また、そのデータ形式は、静止画像、動画、音声、音楽等、電子データとして送受信可能なデータ全てを含む概念である。
また、本実施形態においては、店舗端末４０として、スマートフォンを用いる構成としてある。勿論、このような構成に限るものではなく、パーソナルコンピュータ等、電気通信回線１０と接続可能な各種端末を用いることができる。
【００３０】
この店舗端末４０は図３（ａ）に示すように、制御部４１と、記憶部４２と、通信部４３と、表示部４４と、操作部４５とで構成される。
【００３１】
前記制御部４１と、記憶部４２と、通信部４３と、表示部４４と、操作部４５の主たる機能や構成は、既述した本部端末２０の制御部２１と、記憶部２２と、通信部２３と、表示部２４と、操作部２５と同一のものであることから、詳細な説明は省略するものとする。
また、店舗サイネージ４６としては、電気通信回線１０を介して各種コンテンツを表示可能な機能を備えた汎用されている各種サイネージを用いることができる。
【００３２】
店舗オーナー４が提供する各種情報データは、この店舗端末４０を用いて電気通信回線１０を介してサーバ７０に送信されて記録される。
また、サーバ７０に送信された店舗情報データのうち、一部の情報については、企業担当者３、一般ユーザー５、クリエイター６が閲覧可能となる。
【００３３】
前記一般ユーザー端末５０は、一般ユーザー５が操作する端末で、ダウンロードして利用するアプリケーションを介して、本システム上の各種操作を行う。具体的には、アプリケーションを介して、サーバ７０との間で一般ユーザーに関する一般ユーザー情報データや、その他各種データを送受信する。
なお、ここで「一般ユーザー情報データ」とは、一般ユーザー５の自己ＰＲ動画や、訪問した店舗４に関する評価などに関連する情報を含む概念である。また、サーバ７０によって一般ユーザー５に個別に割り当てられるＩＤやログインパスワードなども含む概念である。また、そのデータ形式は、静止画像、動画、音声、音楽等、電子データとして送受信可能なデータ全てを含む概念である。
また、本実施形態においては、一般ユーザー端末５０として、スマートフォンを用いる構成としてある。勿論、このような構成に限るものではなく、パーソナルコンピュータ等、電気通信回線１０と接続可能な各種端末を用いることができる。
【００３４】
この一般ユーザー端末５０は図３（ｂ）に示すように、制御部５１と、記憶部５２と、通信部５３と、表示部５４と、操作部５５とで構成される。
【００３５】
前記制御部５１と、記憶部５２と、通信部５３と、表示部５４と、操作部５５の主たる機能や構成は、既述した本部端末２０の制御部２１と、記憶部２２と、通信部２３と、表示部２４と、操作部２５と同一のものであることから、詳細な説明は省略するものとする。
【００３６】
一般ユーザー５が提供する各種情報データは、この一般ユーザー端末５０を用いて電気通信回線１０を介してサーバ７０に送信されて記録される。
また、サーバ７０に送信された一般ユーザー情報データのうち、一部の情報については、店舗オーナー４、他の一般ユーザー５が閲覧可能となる。
【００３７】
前記クリエイター端末６０は、店舗サイネージ４６に表示させるコンテンツの制作を担うクリエイター６が操作する端末で、ＷＥＢアプリケーションを介して、本システム上の各種操作を行う。具体的には、ＷＥＢアプリケーションを介して、サーバ７０との間でクリエイター６に関するクリエイター情報データや、その他各種データを送受信する。
なお、ここで「クリエイター情報データ」とは、クリエイター端末６０を所有するクリエイター６の名前、表示名、年齢など、クリエイター６自身に関連する情報や、制作事例や制作した作品の評価など、クリエイター６自身以外に関連する各種情報の両方を含む概念である。また、サーバ７０によってクリエイター６に個別に割り当てられるＩＤやログインパスワードなども含む概念である。また、そのデータ形式は、静止画像、動画、音声、音楽等、電子データとして送受信可能なデータ全てを含む概念である。
また、本実施形態においては、クリエイター端末６０として、パーソナルコンピュータを用いる構成としてある。勿論、このような構成に限るものではなく、移動体通信端末（例えば、携帯電話）等、電気通信回線１０と接続可能な各種端末を用いることができる。
【００３８】
この企業端末６０は図２（ｂ）に示すように、制御部６１と、記憶部６２と、通信部６３と、表示部６４と、操作部６５とで構成される。
【００３９】
前記制御部６１と、記憶部６２と、通信部６３と、表示部６４と、操作部６５の主たる機能や構成は、既述した本部端末２０の制御部２１と、記憶部２２と、通信部２３と、表示部２４と、操作部２５と同一のものであることから、詳細な説明は省略するものとする。
【００４０】
クリエイター６が提供する各種情報データは、このクリエイター端末６０を用いて電気通信回線１０を介してサーバ７０に送信されて記録される。
また、サーバ７０に送信されたクリエイター情報データのうち、一部の情報については、店舗オーナー４が閲覧可能となる。
【００４１】
前記サーバ７０は、サイネージシステム１の運営者である本部が管理するサーバで、サイネージシステム１を管理、運営する管理装置として機能するものである。より具体的には、主として、本部端末２０、企業端末３０、店舗端末４０、一般ユーザー端末５０、クリエイター端末６０との間の情報のやり取りを仲介する機能を果たすものである。このサーバ７０は図４（ａ）に示すように、主として制御部７１と、記憶部７２と、通信部７３とで構成される。
なお、ここで「本部が管理する」とは、本部が直接的に管理する場合と、本部が間接的に管理する場合の両方を含む概念である。より具体的には、本部が自ら所有するサーバ７０で本システムを管理、運用する場合と、第三者が所有するサーバ７０を用いて本システムを管理、運用する場合の両方を含む概念である。
【００４２】
前記制御部７１は、サイネージシステム１を運営、管理するプログラムを保有すると共に、本システムを運営、管理するための所定の処理を行う機能を有するものである。
本実施形態においては、制御部７１は、主に以下の処理を行う。より具体的には、以下の処理を行うための各種コマンドを実行する。
【００４３】
本システムを機能させるための企業情報、店舗情報、一般ユーザー情報、クリエイター情報をそれぞれ登録（記録）する処理と、登録された企業情報を店舗端末４０に表示させる処理、登録された店舗情報を企業端末３０、一般ユーザー端末５０、クリエイター端末６０に表示させる処理である。
また、本部２０が企業のために作成したコンテンツを企業サイネージ３６に送信し、アプリケーションを介して企業サイネージ３６に表示させる処理である。
また、アプリケーションを介して、企業が自社で作成したコンテンツを企業サイネージ３６に表示させる処理である。
【００４４】
また、店舗端末４０から企業へコンテンツ掲載（広告掲載）の申込みがあった場合には、申込みがあったことを知らせるアイコンを表示させる処理である。また、申込みに際して、店舗端末４０が送信したコンテンツを企業端末３０の表示部３４に表示させる処理である。
また、店舗４０から企業へコンテンツ掲載（広告掲載）の申請があった場合には、その審議を行い、許可、不許可の審議結果を店舗端末４０へ送信する処理である。更に、申込みを許可する場合は、店舗端末４０に保存するコンテンツのうち、店舗端末４０の操作を行う店舗オーナー４がアプリケーションを介して選択したコンテンツを企業サイネージ３６に送信してアプリケーションを介して企業サイネージ３６に表示させる処理である。
また、店舗端末４０からのコンテンツの掲載申込みを募集している企業サイネージ３６に関する情報を各店舗オーナー４が操作する店舗端末４０に送信してアプリケーションを介して店舗端末４０に表示させる処理である。更に、企業サイネージ３６に関する情報を店舗端末４０に送信する際には、各店舗オーナー４が操作する店舗端末４０のうち、企業サイネージ３６の管理を行う企業担当者３が操作する企業端末３０にて予め設定した選択基準に合致する店舗端末４０を抽出して企業サイネージ３６に関する情報を送信する処理である。
【００４５】
また、店舗オーナー４が作成したコンテンツを店舗サイネージ４６に表示させる処理である。更に、店舗端末４０に備えるアプリケーションを介して、店舗オーナー４が作成して店舗サイネージ４６に表示するコンテンツの更新を行う処理である。なお、ここで「店舗オーナー４が作成したコンテンツ」とは、文字、静止画、動画など、アプリケーションを介して店舗サイネージ４６に表示させることが可能な各種情報伝達手段を用いて、店舗オーナー４が自由に作成したコンテンツであることを意味する。このような構成とすることで、デザイン性や自由度が高く、顧客（消費者）に対して訴求効果の高いコンテンツを店舗サイネージ４６に表示させることができる。よって、一段と集客効果の高い店舗サイネージ４６とすることができる。より具体的には、例えば、飲食店のオーナーが本システムを利用する場合においては、本日中に消費することが必要な食材で且つ閉店時間までには消費できそうにない食材があった場合に、ある時間からタイムセールとして、その食材や該食材を使用したメニューの文字情報や、画像、動画を撮影したコンテンツを即座に店舗サイネージ４６に目玉広告として表示させる場合などに特に有効な広告宣伝ツールとして本システムにおける店舗サイネージ４６を利用することができる。つまり、顧客（消費者）に向けて、いますぐに伝えたい情報を即座に作成し、店舗サイネージ４６に表示可能、更新可能なシステムとすることができる。
また、店舗端末４０から企業端末３０へコンテンツ掲載に関する申請を行う処理である。また、店舗端末４０からクリエイター端末６０へコンテンツの制作依頼を行うと共に、店舗端末４０とクリエイター端末６０との間でコンテンツ制作依頼に伴う見積りに関する情報を送受信する処理である。更に、店舗オーナー４が、依頼するクリエイター６を選択した場合には、店舗オーナー４へ前金の支払いを請求する処理である。
【００４６】
また、複数の異なる店舗サイネージ４６に表示されるコンテンツのうち、一般ユーザー５がアプリケーションを介して検索し、選択した店舗サイネージ４６に表示されるコンテンツを一般ユーザー端末５０に送信してアプリケーションを介して一般ユーザー端末５０に表示させる処理である。更に、一般ユーザー５が、アプリケーションを介して店舗サイネージ４６に表示されるコンテンツの検索を行わない場合には、一般ユーザー５がアプリケーションを起動させた際に、一般ユーザー端末５０から所定範囲内の距離にある一乃至複数の店舗サイネージ４６に表示されるコンテンツを抽出すると共に、一般ユーザー端末５０からの距離が近い店舗サイネージ４６に表示されるコンテンツを優先して一般ユーザー端末５０に送信してアプリケーションを介して一般ユーザー端末５０に表示させる処理である。なお、「所定範囲内の距離」とは、一般ユーザー端末５０に備えるアプリケーションを介して一般ユーザー５が予め設定できる構成や、本部担当者２が本部端末２０を介して予め設定できる構成や、一般ユーザー５が端末を操作する時間によってサーバ７０が任意に距離を設定する構成（例えば、平日の昼食時は昼休みの時間に拘束されることが多いことから短い距離に設定し、夕食時は長い距離に設定するなど）など、如何なる構成としてもよい。また、一般ユーザー端末５０から店舗サイネージ４６までの距離は、例えば、一般ユーザー端末５０に備わる全地球測位システムを活用可能な機能と、店舗サイネージ４６の所在地情報を活用することでサーバ７０が割り出すことが可能となる。
【００４７】
また、店舗端末４０からクリエイター端末６０へのコンテンツの制作の依頼を仲介する処理である。
また、店舗オーナー４とクリエイター６とが、互いの端末を介してチャットを行うと共に、その記録を行う処理である。
また、クリエイター６が作成したコンテンツを店舗端末４０へ送信し、店舗端末４０に備えるアプリケーションを介して表示させる処理である。
【００４８】
また、企業情報、店舗情報、一般ユーザー情報、クリエイター情報をそれぞれ登録する処理として、制御部７１は、企業、店舗、一般ユーザー５、クリエイター６にそれぞれ固有のＩＤとパスワードを付与し、記憶部７２に記録させる処理を行う。
更に、サイネージシステム１から企業、店舗、一般ユーザー５、クリエイター６の登録を解除する場合には、解除する主体に関する各種情報（情報データ）をサイネージシステム１から削除する処理を行う。
【００４９】
また、制御部７１は、既述した各処理に加えて、本部端末２０、企業端末３０、店舗端末４０、一般ユーザー端末５０、クリエイター端末６０がサーバ７０の照合を得ることが必要なデータ（ＩＤとパスワード等）についての認証も行う。
【００５０】
既述したように、本実施形態においては、サーバ７０は、主として、本発明における店舗端末４０に備えるアプリケーションを介して店舗サイネージ４６に表示するコンテンツの更新を可能とする手段と、一般ユーザー端末５０に備えるアプリケーションを介して一般ユーザー５が選択した店舗サイネージ４６に表示されるコンテンツを一般ユーザー端末５０に送信して表示させる手段を構成する。
また、店舗端末４０からのコンテンツの掲載申込みを募集している企業サイネージ３６に関する情報を各店舗オーナー４が操作する店舗端末４０に送信してアプリケーションを介して表示させる手段を構成する。
また、店舗端末４０からクリエイター端末６０へのコンテンツの制作の依頼を仲介する手段を構成する。
【００５１】
勿論、本システムを運営、管理するために制御部７１が行う処理や備える手段は、上記に限るものではなく、適宜変更、追加が可能である。
【００５２】
前記記憶部７２は、企業端末３０、店舗端末４０、一般ユーザー端末５０、クリエイター端末６０に関わる情報等、予めサーバ７０に記録させておくデータや各種プログラム、追加・修正のあったデータや各種プログラム等を記録させておく機能を有するものである。
本実施形態においては図４（ｂ）に示すように、記憶部７２は、企業情報データベース７２ａと、店舗情報データベース７２ｂと、一般ユーザー情報データベース７２ｃと、クリエイター情報データベース７２ｄとを備える。
【００５３】
前記企業情報データベース７２ａは、企業に関する情報を記録するためのものである。
企業に関する情報としては、本実施形態においては、企業名、所在地、連絡先等がある。また、企業サイネージ３６に関する情報として、設置場所、稼働時間などがある。また、店舗端末４０を介したコンテンツ（広告）掲載の申込みを許可した場合には、広告掲載費の額、支払いの有無がある。また、企業に個別に割り当てられるＩＤやログインパスワードなどがある。勿論、企業に関する情報はこれらに限るものではなく、他の情報を含める構成としてもよい。
【００５４】
前記店舗情報データベース７２ｂは、店舗に関する情報を記録するためのものである。
店舗に関する情報としては、本実施形態においては、店舗名、所在地がある。また、企業に対して広告掲載の申込みをした場合には、掲載希望コンテンツの内容がある。また、サーバ７０によって店舗に個別に割り当てられるＩＤやログインパスワードなどがある。勿論、店舗に関する情報はこれらに限るものではなく、他の情報を含める構成としてもよい。更に、クリエイター６０と行ったチャットの日時や内容がある。
【００５５】
前記一般ユーザー情報データベース７２ｃは、一般ユーザー５に関する情報を記録するためのものである。
一般ユーザー５に関する情報としては、本実施形態においては、自己ＰＲ動画や、訪問した店舗に関する評価に関連する情報がある。
【００５６】
前記クリエイター情報データベース７２ｄは、クリエイター６に関する情報を記録するためのものである。
クリエイター６に関する情報としては、本実施形態においては、クリエイター端末６０を所有するクリエイター６の名前、表示名、年齢など、クリエイター６自身に関連する情報や、制作事例、制作事例に対する店舗オーナー４の評価など、クリエイター６自身以外に関連する情報の両方がある。また、サーバ７０によってクリエイター６に個別に割り当てられるＩＤやログインパスワードなどがある。更に、店舗オーナー４と行ったチャットの日時や内容がある。
【００５７】
前記通信部７３は、電気通信回線１０を介して本部端末２０、企業端末３０、店舗端末４０、一般ユーザー端末５０、クリエイター端末６０の間で各種データの送受信を行う機能を有するものである。
【００５８】
次に、図５を参照して、企業が本発明の実施形態に係るサイネージシステムに新規に登録する場合の処理の流れを説明する。
なお、以下においては、企業担当者３がＷＥＢアプリケーションを利用して操作する場合を説明するものとする。勿論、本発明はこのような構成に限るものではなく、企業担当者３企業端末３０に本システムを実行可能なアプリケーションをダウンロードして利用するような構成としてもよい。
【００５９】
まず、図５を参照して、企業担当者３が新規申込を行う（ステップＳ１）。具体的には、図示しないサイトのトップページ画面にある新規申込ボタンをクリックする。
すると、サーバ７０が登録の申込みを受け付け、申込フォームへの入力を要請する（ステップＳ２）。この要請に対して企業担当者３は、申込フォームへ所定事項を入力し、申込フォームを送信する（ステップＳ３、ステップＳ４）。その後、サーバ７０は申込フォームを受信し、本部へ申込フォーム（データ）を送信する（ステップＳ５、ステップＳ６）。その後、本部担当者２は申込フォームを受信し、契約内容を企業担当者３へ送信する（ステップＳ７、ステップＳ８）。この契約内容に企業が同意しない場合は、そこで処理は終了する。一方、契約内容に企業が同意する場合は、同意する旨の意思表示を本部に行い、本部にて申込内容の審査が開始される（ステップＳ９、ステップＳ１０）。そして、審査により、申込みを許可しない場合は、そこで処理は終了する。一方、申込みを許可する場合は、初期アカウント情報を企業担当者３に送信する（ステップＳ１１、ステップＳ１２）。そして、企業担当者３は初期アカウント情報を受領し、初回ログインを行う（ステップＳ１３、ステップＳ１４）。そして、初回ログイン後、企業担当者３は初期アカウントを所望のアカウントに変更し、サーバ７０が企業情報データベース７２ａにＩＤとパスワードとを紐づけて記録する。
以上により、企業による本システムへの新規登録処理が終了する。
【００６０】
なお、店舗オーナー４及びクリエイター６による本システムへの新規登録処理は、既述した企業による新規登録処理と同じ処理の流れで行うことから、以下詳細な説明は省略するものとする。また、既述した企業による新規登録処理と同様に、店舗オーナー４、クリエイター６は、初回ログイン後、初期アカウントを所望のアカウントに変更し、サーバ７０が店舗情報データベース７２ｂ、クリエイター情報データベース７２ｄにＩＤとパスワードとを紐づけて記録する。
【００６１】
次に、図６、図７を参照して、企業担当者３が、自社で作成したコンテンツを企業サイネージ３６に投稿する処理を説明する。なお、本実施形態における企業サイネージ３６は、企業の１フロアの所定位置に１機設置されているような比較的大きなサイネージを意味しており、投稿されるコンテンツとしては、例えば、健康に関するコンテンツや、仕事の効率化に関するコンテンツなど、複数の従業員に対して有益な情報に関するものが選定される。勿論、企業サイネージの構成はこのような構成に限るものではなく、適宜変更可能である。
【００６２】
まず、企業担当者３が企業端末３０を用いてＷＥＢアプリケーションを起動させて、図７（ａ）に示す企業アプリトップ画面Ｇ１を企業端末３０に表示させる（ステップＳ１６）。そして図７（ａ）に示す複数個のコンテンツ掲載ボタンＧ５に表示されるコンテンツのうち、投稿したい所望のコンテンツを選ぶ（ステップＳ１７）。その後コンテンツが決定した場合は図７（ａ）に示す該当するコンテンツ掲載ボタンＧ５をクリックした後、更新ボタンＧ７をクリックすると、掲載するコンテンツが選択されると共に、サーバ７０へ送信される（ステップＳ１８、ステップＳ１９）。するとサーバ７０が掲載希望のコンテンツを受領し、企業サイネージ３６へ該当コンテンツを送信する（ステップＳ２０、ステップＳ２１）。そして、企業サイネージ３６がコンテンツを受領し、投稿を反映してコンテンツを企業サイネージ３６の画面に表示する（ステップＳ２２、ステップＳ２３）。その後、企業サイネージ３６は、コンテンツを更新した旨の信号をサーバ７０へ送信し、サーバ７０が企業端末３０へコンテンツを更新した旨の情報を送信し（ステップＳ２４）、企業担当者３を介して企業端末３０が当該情報を受領する（ステップＳ２５）。
以上により、自社で作成したコンテンツが企業サイネージ３６に表示される。
【００６３】
なお、本実施形態におけるサイネージシステム１では、企業サイネージ３６には、自社で作成したコンテンツだけでなく、本部で作成されたコンテンツも表示可能な構成としてある。具体的には、図７（ａ）に示すコンテンツ表示欄Ｇ４に本部で作成されたコンテンツが表示されており、この欄をクリックした後に更新ボタンＧ７をクリックすることで、本部で作成されたコンテンツが企業サイネージ３６に表示される構成としてある。なお、具体的な処理の流れは既述した独自コンテンツを投稿する流れと同一であるため、説明は省略する。
【００６４】
また、図７（ａ）に示すように、企業アプリトップ画面Ｇ１には、企業に関する各種情報が表示される画面へジャンプ可能なホームボタンＧ２や、企業サイネージ３６のサイネージ名が表示されるサイネージ名表示欄Ｇ３が設けられている。また、企業サイネージ３６に店舗の広告（店舗サイネージ４６に表示されるコンテンツ）を掲載可能とするかどうかの選択を行う広告掲載選択ボタンＧ６もあり、このボタンをクリックする毎に広告を掲載可能、掲載不能の選択が切り替わる構成とし、どちらかを選択した状態で更新ボタンＧ７をクリックすることで選択状態が保存される構成としてある。更に、店舗から広告掲載の申込み（店舗サイネージ４６に表示されるコンテンツの企業サイネージ３６への掲載申込み）があった場合に点灯状態となる広告掲載申込み通知用アイコンＧ８や、店舗から広告掲載の依頼があった場合、その審議を開始する広告掲載審議ボタンＧ９も設けられている。なお、店舗から広告掲載の申込みがあった場合の処理の流れについては後述する。
【００６５】
次に、図８、図９を参照して、店舗オーナー４が自ら作成したコンテンツを店舗サイネージ４６に投稿する流れを説明する。
まず、店舗オーナー４が店舗端末４０を用いてアプリケーションを介して、図９（ａ）に示す店舗アプリトップ画面Ｇ１５を店舗端末４０に表示させる（ステップＳ２６）。そして図９（ａ）に示す複数個のコンテンツ掲載ボタンＧ１７に表示されるコンテンツのうち、投稿したい所望のコンテンツを選ぶ（ステップＳ２７）。その後コンテンツが決定した場合は図９（ａ）に示す該当するコンテンツ掲載ボタンＧ１７をクリックした後、更新ボタンＧ１８をクリックすると、掲載するコンテンツが選択されると共に、サーバ７０へ送信される（ステップＳ２８、ステップＳ２９）。するとサーバ７０が掲載希望のコンテンツを受領し、店舗サイネージ４６へ該当コンテンツを送信する（ステップＳ３０、ステップＳ３１）。そして、店舗サイネージ４６がコンテンツを受領し、投稿を反映してコンテンツを店舗サイネージ４６の画面に表示する（ステップＳ３２、ステップＳ３３）。その後、店舗サイネージ４６は、コンテンツを更新した旨の信号をサーバ７０へ送信し、サーバ７０が店舗端末４０へコンテンツを更新した旨の情報を送信し（ステップＳ３４）、店舗オーナー４を介して店舗端末４０が当該情報を受領する（ステップＳ３５）。
以上により、自社で作成したコンテンツが店舗サイネージ４６に表示される。
なお、店舗オーナー４が既に店舗サイネージ４６に表示してあるコンテンツを他のコンテンツに更新する場合の流れも上記と同様となる。
【００６６】
なお、図９（ａ）に示すよう、店舗アプリトップ画面Ｇ１５には、店舗サイネージ４６に現在表示されているコンテンツの確認ができるコンテンツ確認ボタンＧ１６や、店舗アプリトップ画面Ｇ１５に遷移可能なトップ画面表示ボタンＧ１９や、他の画面に切り替わった後にマイページ画面Ｇ２２に遷移可能なマイページボタンＧ２０や、店舗名や所在地の情報など、店舗情報の詳細設定が可能な詳細設定ボタンＧ２１が設けられている。
更に、図９（ｂ）に示すように、マイページボタンＧ２０をクリックすることで表示されるマイページ画面Ｇ２２には、店舗オーナー４が店舗サイネージ４６に現在表示してあるコンテンツを確認できる店舗コンテンツ表示欄Ｇ２３や、店舗オーナー４が店舗サイネージ４６に過去に表示させたお店のＰＲ動画やクーポン情報などの各種情報を確認できる各種情報表示欄Ｇ２４や、店舗オーナー４が作成した店舗の名称、所在地、営業時間などの店舗情報を確認できる店舗情報表示欄Ｇ２５や、一般ユーザー５の当該店舗に対する評価を確認できる一般ユーザー評価欄Ｇ２６を設けている。なお、一般ユーザー５による評価は、数字や記号、文章など如何なる情報伝達手段を用いてもよい。
【００６７】
次に、図７、図９（ａ）、図１０、図１１を参照して、店舗オーナー４が企業へ広告掲載の申請（店舗サイネージ４６に表示されるコンテンツの企業サイネージ３６への掲載申請）を行う場合の処理の流れを説明する。
まず図１０を参照して、店舗オーナー４が店舗端末４０を用いてアプリケーションを起動させる。すると、図９（ａ）に示す店舗アプリトップ画面Ｇ１５が店舗端末４０に表示される（ステップＳ３６）。そして、図９（ａ）に示す広告申請可能サイネージ表示選択ボタンＧ２７の中から、任意のボタンをクリックして企業の検索を行う（ステップＳ３７）。この検索により広告申請を行う企業が決まった場合は、広告掲載の申請を行う（ステップＳ３８、ステップＳ３９）。一方、検索で広告申請を行う企業が決まらなかった場合は、再び検索を繰り返す。広告申請を行う場合、具体的には広告申請可能サイネージ表示選択ボタンＧ２７をクリックすることで図１１に示す広告申請可能サイネージ情報表示画面Ｇ２８が開かれる。そして、広告申請可能サイネージ情報表示画面Ｇ２８において、企業情報表示欄Ｇ２９に表示される会社の紹介文や従業員数などの企業に関する情報を確認し、申請コンテンツ選択ボタンＧ３０をクリックして申請を行うコンテンツの選択を行い、掲載情報表示欄Ｇ３１に表示される掲載日時や支払いカード情報などを確認した後、申請ボタンＧ３２をクリックすることで、企業へ広告掲載の申請が実行される。
【００６８】
そして、サーバ７０は申請情報を受信し、企業端末３０へ送信する（ステップＳ４０、ステップＳ４１）。そして、企業端末３０が申請情報を受信し、申請内容の審査を開始する（ステップＳ４２、ステップＳ４３）。具体的には、企業端末３０が申請情報を受信すると図７（ａ）に示す広告掲載申込み通知用アイコンＧ８が点灯する。そして、企業担当者３が広告掲載審議ボタンＧ９をクリックすることで、図７（ｂ）に示す広告掲載審議画面Ｇ１０が表示され、この画面を参照しながら広告申請の審議が開始される。より具体的には、図７（ｂ）に示すように、サイネージ名表示欄Ｇ３により、申請されたサイネージ名を確認する。また、依頼内容表示欄Ｇ１１により誰から申請があったかを確認する。また、申請コンテンツ表示欄Ｇ１２に表示される申請コンテンツの内容を確認する。以上を行い、最終的に申請を許可するか不許可とするかの決定を下す。そして、許可する場合は許可ボタンＧ１３をクリックし、不許可とする場合は不許可ボタンＧ１４をクリックする。
【００６９】
ステップＳ４３での審査の結果、申請を許可する場合は、企業サイネージ３６へ店舗に関連するコンテンツの掲載を開始する（ステップＳ４５）。なお、企業サイネージ３６へ店舗に関連するコンテンツを掲載する処理の流れは、既述したステップＳ１６以下の流れと同様であるため、説明を省略する。一方、ステップＳ４３での審査の結果、申請を不許可とする場合は、処理を終了する。
また、申請を許可する場合、サーバ７０は許可通知情報を本部端末２０へ送信し、本部端末２０が許可通知情報を受信する（ステップＳ４６、ステップＳ４７）。そして、本部端末２０から店舗端末４０に対して広告掲載費の請求を行い、店舗オーナー４は広告費の支払いを行う（ステップＳ４８、ステップＳ４９）。その後、本部が広告費を受領した後、企業へ広告費を支払い、企業が広告費を受領する（ステップＳ５０、ステップＳ５１、ステップＳ５２）なお、費用の支払い、受領は、例えば、インターネットバンキングを用いることができるが、他の如何なる方法を用いてもよい。
以上により、店舗オーナー４が企業へ広告掲載の申請を行う場合の処理が終了する。
【００７０】
次に、図９、図１２、図１３、図１４を参照して、店舗オーナー４がクリエイター６に店舗サイネージ４６に表示させるコンテンツの制作を依頼する場合の処理の流れを説明する。
まず、図９、図１２、図１４を参照して、店舗オーナー４が店舗端末４０を用いてアプリケーションを立ち上げる（ステップＳ５３）。すると、図９（ａ）に示す店舗アプリトップ画面Ｇ１５が表示されるので、画面中のクリエイターへの申請ボタンＧ３３をクリックする。
すると、図１４（ａ）に示すクリエイター６へのクリエイター依頼画面Ｇ３４が表示される。そして、クリエイターの名前が分かっているなど、クリエイターを個別に検索する場合はクリエイター検索ボタンＧ３７をクリックする。一方、特定のクリエイターではなく、条件に合うクリエイターを探したい場合においては、依頼内容表示欄Ｇ３５に依頼内容を記載した上で依頼内容掲載ボタンＧ３６をクリックして、依頼内容の送信を行う（ステップＳ５４）。なお、以後においては、依頼内容掲載ボタンＧ３６をクリックした場合について説明する。
【００７１】
すると、サーバ７０は依頼内容を受信し、クリエイター端末６０へ送信する（ステップＳ５５、ステップＳ５６）。その後、クリエイター端末６０が依頼内容を受信し、クリエイター端末６０に備えるアプリケーションを介して端末画面に表示する（ステップＳ５７）。具体的には、クリエイター６がクリエイター端末６０に備えるアプリケーションを起動させると、図１４（ｂ）に示す、ホーム画面Ｇ３８が表示され、依頼内容表示欄Ｇ３９に店舗オーナー４からの依頼内容が１乃至複数件表示されるので、興味があるものをクリックすると、図１４（ｃ）に示す依頼内容表示画面Ｇ４５が開き、掲載サイネージ情報表示欄Ｇ４６にて掲載されるサイネージの所在地、掲載時間などを確認すると共に、依頼内容表示欄Ｇ４７にて依頼内容の詳細を確認する。また、必要であれば、図１４（ｃ）に示すチャットボタンＧ４２をクリックし、依頼者である店舗オーナー４とチャットにて質疑応答や打ち合わせを行う。なお、チャットを行った場合は、図１４（ｄ）に示すチャット表示画面Ｇ４８のチャット相手表示欄Ｇ４９にチャットを行った店舗オーナー４の氏名や店舗名などが表示されると共に、チャット内容表示欄Ｇ５０に具体的なチャット内容が表示される。
【００７２】
なお、本実施形態においては、図１４（ｂ）に示すように、ホーム画面Ｇ３８にも、チャット内容の概要を表示するチャット内容表示欄Ｇ４０を設けている。更に、クリエイター端末６０に表示される他の画面にも共通して、ホーム画面Ｇ３８に遷移可能なホームボタンＧ４１、依頼内容表示画面Ｇ４５に遷移可能な依頼内容ボタンＧ４３、クリエイター６の氏名や実績、スキルなどが表示されるマイページ画面（図示しない）に遷移可能なマイページボタンＧ４４を設けている。
【００７３】
その後、クリエイター６は、依頼内容の検討を行い、見積書データを作成してサーバ７０へ送信する（ステップＳ５８）。すると、サーバ７０は見積書データを受信し、店舗端末４０へ送信する（ステップＳ５９、ステップＳ６０）。その後、店舗端末４０は見積書データを受信し、内容を精査し依頼するかどうかの検討を行う（ステップＳ６１、ステップＳ６２）。この検討により、依頼を行う場合は、依頼決定情報（例えば、依頼決定ボタンをクリックするなどにより行う）をサーバ７０へ送信してサーバ７０が依頼を受信する（ステップＳ６３）。そして、サーバ７０は、店舗端末４０へ前金支払いの要請連絡を行う（ステップＳ６４）。そして、店舗オーナー４が前金を支払い、本部が受領する（ステップＳ６５、ステップＳ６６）。これによって、本部から制作依頼指示がサーバ７０へ送信され、サーバ７０が受信する（ステップＳ６７、ステップＳ６８）。その後、サーバ７０から制作依頼指示がクリエイター端末６０へ送信され、クリエイター端末６０が制作依頼指示を受信し、クリエイター６が制作を開始する（ステップＳ６９、ステップＳ７０）。そして、コンテンツに関する作品を制作し、サーバ７０へ送信し、サーバ７０が受信する（ステップＳ７１、ステップＳ７２）。その後サーバ７０は作品を店舗端末４０へ送信し、店舗端末４０が受信後、店舗オーナー４による検収が行われる（ステップＳ７３、ステップＳ７４）。
【００７４】
その後、修正が必要な場合は、クリエイター６に修正依頼の連絡を行い修正する。一方、修正が不要な場合は、検収完了報告を店舗端末４０からサーバ７０へ送信する（ステップＳ７５、ステップＳ７６）。そして、サーバ７０は検収完了報告を受信し、クリエイター端末６０へ検収完了報告を送信する（ステップＳ７７、ステップＳ７８）。そして本部端末２０は検収完了報告を受信し、クリエイター６に対して製作費の支払いを行う（ステップＳ７９、ステップＳ８０）。そして、クリエイター６は製作費を受領した後、自らの作品の評価の依頼要請をサーバ７０へ送信する（ステップＳ８１、ステップＳ８２）。そしてサーバ７０は評価の依頼要請を受信し、店舗端末４０へ評価の依頼要請を送信する（ステップＳ８３、ステップＳ８４）。そして、店舗端末４０が評価の依頼要請を受信後、店舗オーナー４はクリエイター６が制作した作品の評価を入力し、サーバ７０へ送信する（ステップＳ８５、ステップＳ８６）。
なお、評価の入力は、例えば、クリエイター依頼画面Ｇ３４上に、評価ボタンを設けるなどにより行うことが可能となる。そして、サーバ７０は店舗オーナー４から送信された評価を受信し、記憶部（クリエイター情報データベース７２ｄに記録する（ステップＳ８７、ステップＳ８８）。なお、店舗オーナー４が行ったクリエイター６に対する評価は、本実施形態においては、クリエイター６のマイページ画面（図示しない）や、店舗オーナー４が特定のクリエイター６の検索を行った後に表示される検索結果画面（図示しない）で確認できるような構成としてある。
以上により、店舗オーナー４がクリエイター６にコンテンツの制作を依頼する場合の処理が終了する。
【００７５】
次に、図１５〜図１７を参照して、一般ユーザー５が店舗サイネージ４６に掲載されるコンテンツを一般ユーザー端末５０で視聴する処理の流れを説明する。
まず、一般ユーザー５がアプリを起動する（ステップＳ８９）。すると、図１６（ａ）に示す一般ユーザーアプリトップ画面Ｇ５１が立ち上がる。そして、一般ユーザー５は訪問したい店舗の検索を行う（ステップＳ９０）。具体的には、図１６（ａ）に示す店舗コンテンツ表示欄Ｇ５２に表示されるコンテンツを視聴して店舗を選ぶか、検索ボタンＧ５３をクリックした後、切り替わる店舗検索画面Ｇ５７を利用して店舗の検索を行う。
なお、本実施形態においては、一般ユーザー５が検索ボタンＧ５３を使用してコンテンツの検索を行わない場合には、サーバ７０が、一般ユーザー端末５０から所定範囲内の距離にある一乃至複数の店舗サイネージ４６に表示されるコンテンツを抽出すると共に、一般ユーザー端末５０からの距離が近い店舗サイネージ４６に表示されるコンテンツを優先して一般ユーザー端末５０に送信して店舗コンテンツ表示欄Ｇ５２に表示させる構成となっている。
また、図１６（ｂ）に示す店舗検索画面Ｇ５７においては、ジャンル（業種）選択ボタンＧ５８か、距離選択ボタンＧ５９を利用して、店舗の検索を行うことができる構成となっている。そして、希望するジャンルと希望する現在位置からの距離との少なくとも１つの条件を入力後、検索ボタンＧ６０をクリックすることで、店舗の検索を行うことが可能となる構成としてある。
【００７６】
また、ジャンル選択ボタンＧ５８か、距離選択ボタンＧ５９を利用して店舗の検索を行った場合には、サーバ７０が、検索条件に合致するコンテンツを一般ユーザー端末５０へ送信し、一般ユーザー端末５０が受信後、店舗コンテンツ表示欄Ｇ５２に表示させる（ステップＳ９１、ステップＳ９２）。そして、検索ボタンＧ５３を使用してコンテンツの検索を行わない場合に表示されるコンテンツを含めて、店舗コンテンツ表示欄Ｇ５２に表示されるコンテンツのうち、気になるものがあれば、当該店舗コンテンツ表示欄Ｇ５２をクリックすることで、図１７（ａ）に示す検索店舗表示画面Ｇ６１に切り替わり、店舗の情報をじっくりと確認することができる。具体的には、図１７（ａ）に示すように、店舗コンテンツ表示欄２３でコンテンツの内容を確認し、各種情報表示欄Ｇ２４でお店のＰＲ情報を確認し、店舗情報表示欄Ｇ２５でお店の基本情報（住所、名称、従業員数など）を確認し、一般ユーザー評価欄Ｇ２６で表示されている店舗に対する他の一般ユーザー５の評価を確認することができる。
これらの確認を行った後、希望する店舗のサイネージ４６のコンテンツが見つかった場合は、一般ユーザー端末５０でコンテンツを視聴し処理を終了する。一方、希望する店舗のサイネージコンテンツが見つからなかった場合は、ステップＳ９０に戻って再度店舗の検索を行う。
なお、一般ユーザー端末５０に表示される店舗コンテンツ表示欄、各種情報表示欄、店舗情報表示欄、一般ユーザー評価欄は、既述した店舗端末４０に表示されるマイページ画面Ｇ２２に表示される店舗コンテンツ表示欄Ｇ２３、各種情報表示欄Ｇ２４、店舗情報表示欄Ｇ２５、一般ユーザー評価欄Ｇ２６と同様の機能を果たすものであることから、同一記号・同一番号を付すものとする。
【００７７】
なお、本実施形態においては図１７（ａ）に示すように、検索店舗表示画面Ｇ６１には、電話ボタンＧ６２、メールボタンＧ６３を設けて店舗に電話やメールをすることも可能な構成となっている。更に、評価ボタンＧ６４を備えて、店舗を訪れた際に即座に店舗の評価を行うことができると共に、他の一般ユーザーの当該店舗に対する評価を確認することもできる構成となっている。
また、一般ユーザー用アプリケーションの表示画面には、マイページボタンＧ５５が設けられており、このボタンをクリックすることで、図１７（ｂ）に示すマイページ画面Ｇ６５が表示される。このマイページ画面Ｇ６５においては、訪問した店舗数や店舗に対する評価を数値で表示する評価数表示欄Ｇ６６と、自己紹介用動画などの自己紹介コンテンツ選択登録ボタンＧ６７と、訪問した店舗の名称や評価（記号や文章）を閲覧可能な訪問店舗選択表示ボタンＧ６８が設けられている。更に、一般ユーザー用アプリケーションのどの画面からもホーム画面となる一般ユーザーアプリトップ画面Ｇ５１に遷移可能なホームボタンＧ５４や一般ユーザー５のＩＤ、パスワードの編集などを行うことが可能な詳細設定ボタンＧ５６を設けている。
【００７８】
このような構成からなる本発明の実施形態に係るサイネージシステムによれば、店舗オーナー４がいつでも好きな時間、好きな場所で店舗サイネージ４６に表示させるコンテンツを選択し、表示の切り替えを行うことができる。よって、店舗サイネージ４６に表示させるコンテンツの投稿作業を一段と簡素化でき、店舗サイネージ４６にコンテンツを表示させるまでの時間を大幅に短縮することができる。よって、よりタイムリーなコンテンツを店舗サイネージ４６に表示させることができ、訴求効果の高い広告宣伝ツールとして店舗サイネージ４６を利用でき、店舗の売り上げを効果的に増加させることができる。
また、表示させるコンテンツの多様化を図ることが可能となり、一段と有用な情報発信ツールとして店舗サイネージを利用することができる。
また、店舗オーナー４が、アプリケーションを介してマイページ画面Ｇ２２から自店舗に対する一般ユーザー５からの評価を確認できる構成とすることで、店舗サイネージ４６に表示させるコンテンツの更新の動機付けとすることができると共に、しいては店舗運営改善への指標とすることができ、店舗オーナー４にとって一段と利便性の高いシステムとすることができる。
【００７９】
また、一般ユーザー５が、店舗サイネージ４６に表示されるコンテンツを自身の一般ユーザー端末５０で視聴することができることで、サイネージの前を通る以外には、サイネージに表示されるコンテンツに接する機会がなかった一般ユーザー５に対して、コンテンツの閲覧機会を飛躍的に増加させることができる。よって、従来は気付かなかった店舗の発見につなげることが可能となり、店舗にとっては新たな顧客を効率的に開拓可能なシステムとすることができる。
また、一般ユーザー５が、アプリケーションを介してコンテンツの検索を行わない場合には、サーバ７０は、一般ユーザー５がアプリケーションを起動させた際に、一般ユーザー端末５０から所定範囲内の距離にある一乃至複数の店舗サイネージ４６に表示されるコンテンツを抽出すると共に、一般ユーザー端末５０からの距離が近い店舗サイネージ４６に表示されるコンテンツを優先して一般ユーザー端末５０に送信してアプリケーションを介して一般ユーザー端末５０に表示させる処理を行う構成とすることで、一般ユーザー５が自分の近くにある店舗サイネージ４６に表示されるコンテンツを、アプリケーションを起動させるだけで即座に閲覧することができ、店舗オーナー４にとっては、より効果的に集客が可能であると共に、一般ユーザー５にとっては、業種も含めて今まで知らなかった店舗を発掘できる機会を得ることができ、店舗オーナー４及び一般ユーザー５にとって一段と利便性の高いシステムとすることができる。
更に、一般ユーザー５が、気になる店舗サイネージ４６を選択した場合に表示される検索店舗表示画面Ｇ６１において、他の一般ユーザー５の当該店舗に対する評価を閲覧できる構成とすることで、一般ユーザー５が当該店舗を訪問するかどうかを判断する際の参考情報とすることができ、一般ユーザー５にとって一段と利便性の高いシステムとすることができる。
【００８０】
また、企業の許可を得た場合には、店舗端末４０に表示されるコンテンツを企業サイネージ３６に表示させることができ、企業サイネージ３６を有する企業の従業員にピンポイントで店舗の広告を発信可能なシステムとすることができる。また、広告代理店を介することなく広告掲載の申請、広告（コンテンツ）の掲載、掲載料の支払いなどを進めることができることで、広告にかかる経費を効果的に抑えることが可能となり、費用対効果の高い広告システムとして利用することができる。
また、サーバ７０は、店舗端末４０からのコンテンツの掲載申込みを募集している企業サイネージ３６に関する情報を各店舗オーナー４が操作する店舗端末４０に送信してアプリケーションを介して店舗端末４０に表示させる手段を備え、企業サイネージ３６に関する情報を店舗端末４０に送信する際には、各店舗オーナー４が操作する店舗端末４０のうち、企業サイネージ３６の管理を行う企業担当者３が操作する企業端末３０にて予め設定した選択基準に合致する店舗端末４０を抽出して企業サイネージ３６に関する情報を送信する処理を行うと共に、選択基準が、企業から店舗までの距離と、店舗の業種との少なくとも何れか一つである構成とすることで、コンテンツの掲載申込みを募集している企業サイネージ３６に関する情報を店舗オーナー４が閲覧できると共に、予め企業端末３０で設定した選択基準に合致する店舗端末４０に限って掲載申込みの募集を知ることができる。よって、企業側が募集対象としたい店舗に絞ってコンテンツの掲載申込みの募集案内を告知することができ、企業と店舗オーナー４とのマッチングを一段と効率的に行うことが可能なシステムとすることができる。
【００８１】
また、店舗オーナー４がクリエイター６に店舗サイネージ４６に表示させるコンテンツの制作依頼を行うことが可能な構成とすることで、店舗オーナー４にとっては、一段と品質が良く、訴求効果の高いコンテンツを店舗サイネージ４６に表示させることができ、顧客数及び売上の増加につなげることが可能なシステムとすることができる。
更に、店舗オーナー４がクリエイター６の作品に評価を付けることができると共に、その評価内容を他の店舗オーナー４が確認できる構成とすることで、クリエイター６への依頼を検討する際の参考情報とすることができ、店舗オーナー４にとって一段と利便性の高いシステムとすることができる。
【００８２】
なお、本実施形態においては、店舗アプリトップ画面Ｇ１５において、店舗端末４０に保存するコンテンツの企業サイネージ３６への掲載申込みを受け付ける企業サイネージ３６を表示する構成としたが、複数の企業サイネージ３６の表示を行う場合において、掲載費用順（安いものから高いものへ）や、会社の規模順（従業員数の多いものから少ないものへ）に並べて表示を行う構成としてもよい。このような構成とすることで、店舗オーナー
４にとって、費用対効果の高い企業サイネージ３６をいち早く見つけることができ、店舗オーナー４にとって一段と利便性の高いシステムとすることができる。
【００８３】
また、一般ユーザー５がアプリケーションを介してコンテンツの検索を行わない場合には、サーバ７０は、一般ユーザー５がアプリケーションを起動させた際に、一般ユーザー端末５０から所定範囲内の距離にある一乃至複数の店舗サイネージ４６に表示されるコンテンツを抽出すると共に、一般ユーザー端末５０からの距離が近い店舗サイネージ４６に表示されるコンテンツを優先して一般ユーザー端末５０に送信してアプリケーションを介して表示させる構成としたが、このような構成に加えて、一般ユーザー５が予め選択した業種に該当する店舗の店舗サイネージ４６に表示されるコンテンツを優先して表示させる構成としてもよい。このような構成とすることで、業種を絞った形でコンテンツの閲覧を行いたい一般ユーザー５にとっては一段と利便性の高いシステムとすることができる。
【産業上の利用可能性】
【００８４】
本発明によれば、コンテンツの更新作業を容易且つ迅速に行うことが可能であると共に、効率的に広告宣伝を行うことが可能なことから、サイネージシステムの分野における産業上の利用性が高い。
【符号の説明】
【００８５】
１            サイネージシステム
２            本部担当者
３            企業担当者
４            店舗オーナー
５            一般ユーザー
６            クリエイター
１０          電気通信回線
２０          本部端末
２１          制御部
２２          記憶部
２３          通信部
２４          表示部
２５          操作部
３０          企業端末
３１          制御部
３２          記憶部
３３          通信部
３４          表示部
３５          操作部
３６          企業サイネージ
４０          店舗端末
４１          制御部
４２          記憶部
４３          通信部
４４          表示部
４５          操作部
４６          店舗サイネージ
５０          一般ユーザー端末
５１          制御部
５２          記憶部
５３          通信部
５４          表示部
５５          操作部
６０          クリエイター端末
６１          制御部
６２          記憶部
６３          通信部
６４          表示部
６５          操作部
７０          サーバ
７１          制御部
７２          記憶部
７２ａ        企業情報データベース
７２ｂ        店舗情報データベース
７２ｃ        一般ユーザー情報データベース
７２ｄ        クリエイター情報データベース
７３          通信部
Ｇ１          企業アプリトップ画面
Ｇ２          ホームボタン
Ｇ３          サイネージ名表示欄
Ｇ４          コンテンツ表示欄
Ｇ５          コンテンツ掲載ボタン
Ｇ６          広告掲載選択ボタン
Ｇ７          更新ボタン
Ｇ８          広告掲載申込み通知用アイコン
Ｇ９          広告掲載審議ボタン
Ｇ１０        広告掲載審議画面
Ｇ１１        依頼内容表示欄
Ｇ１２        申請コンテンツ表示欄
Ｇ１３        許可ボタン
Ｇ１４        不許可ボタン
Ｇ１５        店舗アプリトップ画面
Ｇ１６        コンテンツ確認ボタン
Ｇ１７        コンテンツ掲載ボタン
Ｇ１８        更新ボタン
Ｇ１９        トップ画面表示ボタン
Ｇ２０        マイページボタン
Ｇ２１        詳細設定ボタン
Ｇ２２        マイページ画面
Ｇ２３        店舗コンテンツ表示欄
Ｇ２４        各種情報表示欄
Ｇ２５        店舗情報表示欄
Ｇ２６        一般ユーザー評価欄
Ｇ２７        広告申請可能サイネージ表示選択ボタン
Ｇ２８        広告申請可能サイネージ情報表示画面
Ｇ２９        企業情報表示欄
Ｇ３０        申請コンテンツ選択ボタン
Ｇ３１        掲載情報表示欄
Ｇ３２        申請ボタン
Ｇ３３        クリエイターへの申請ボタン
Ｇ３４        クリエイター依頼画面
Ｇ３５        依頼内容表示欄
Ｇ３６        依頼内容掲載ボタン
Ｇ３７        クリエイター検索ボタン
Ｇ３８        ホーム画面
Ｇ３９        依頼内容表示欄
Ｇ４０        チャット内容表示欄
Ｇ４１        ホームボタン
Ｇ４２        チャットボタン
Ｇ４３        依頼内容ボタン
Ｇ４４        マイページボタン
Ｇ４５        依頼内容表示画面
Ｇ４６        掲載サイネージ情報表示欄
Ｇ４７        依頼内容表示欄
Ｇ４８        チャット表示画面
Ｇ４９        チャット相手表示欄
Ｇ５０        チャット内容表示欄
Ｇ５１        一般ユーザーアプリトップ画面
Ｇ５２        店舗コンテンツ表示欄
Ｇ５３        検索ボタン
Ｇ５４        ホームボタン
Ｇ５５        マイページボタン
Ｇ５６        詳細設定ボタン
Ｇ５７        店舗検索画面
Ｇ５８        ジャンル選択ボタン
Ｇ５９        距離選択ボタン
Ｇ６０        検索ボタン
Ｇ６１        検索店舗表示画面
Ｇ６２        電話ボタン
Ｇ６３        メールボタン
Ｇ６４        評価ボタン
Ｇ６５        マイページ画面
Ｇ６６        評価数表示欄
Ｇ６７        自己紹介コンテンツ選択登録ボタン
Ｇ６８        訪問店舗選択表示ボタン
【要約】
【課題】更新作業を容易且つ迅速に行うことが可能であると共に、効率的に広告宣伝を行うことが可能なサイネージシステムの提供を課題とする。
【解決手段】本部端末２０と、各企業サイネージ３６の管理を行う各企業担当者３が操作する企業端末３０と、各店舗サイネージ４６の管理を行う各店舗オーナー４が操作する店舗端末４０と、各一般ユーザー５が操作する一般ユーザー端末５０と、電気通信回線１０を介して、本部端末２０、企業端末３０、店舗端末４０、一般ユーザー端末５０とのそれぞれの間を仲介する管理装置とを備えるサイネージシステム１であって、店舗端末４０は、該店舗端末４０にて管理を行う店舗サイネージ４６と通信可能なアプリケーションを備え、管理装置は、前記アプリケーションを介して店舗サイネージ４６に表示するコンテンツの更新を可能とする手段を備えるサイネージシステムである。
【選択図】      図１【図１】
0006912127.tif 000002
【図２】
0006912127.tif 000003
【図３】
0006912127.tif 000004
【図４】
0006912127.tif 000005
【図５】
0006912127.tif 000006
【図６】
0006912127.tif 000007
【図７】
0006912127.tif 000008
【図８】
0006912127.tif 000009
【図９】
0006912127.tif 000010
【図１０】
0006912127.tif 000011
【図１１】
0006912127.tif 000012
【図１２】
0006912127.tif 000013
【図１３】
0006912127.tif 000014
【図１４】
0006912127.tif 000015
【図１５】
0006912127.tif 000016
【図１６】
0006912127.tif 000017
【図１７】
0006912127.tif 000018